(57)【特許請求の範囲】
【請求項１】
その少なくとも１つの面の上に剥離反応層を含む不正開封反応手段（34）を組み入れた柔軟性材料のシート（36）を提供し、
シートを折り曲げ、そのエッジを重ね、その外側表面上に存在する剥離反応層を備えた内側包囲体（26）を画定し、
内側包囲体（26）を流体物質層で囲み、
流体物質を硬化させ、内側包囲体（26）に接着した固体の外側包囲体（28）を提供する、
工程を含む不正開封反応包囲体の製造方法。
【請求項２】
流体物質が初めに内側包囲体の周りの型の中に入れられる請求の範囲第１項に記載の方法。
【請求項３】
成形の際に、窓が外側包囲体に形成される請求の範囲第２項に記載の方法。
【請求項４】
成形の際に、装着用ラグが外側包囲体に形成される請求の範囲第２項又は３項に記載の方法。
【請求項５】
成形の際に、不正開封の跡が分かるパターンが包囲体の外側表面に形成される請求の範囲第２項、３項、又は４項に記載の方法。
【請求項６】
流体物質が割合に低温で硬化するものから選択され、包囲体の中に収められた内側包囲体と部品を熱損傷させる可能性を最少限にする請求の範囲第１〜５項のいずれか１項に記載の方法。
【請求項７】
流体物質が、冷間注入ポリウレタン系である請求の範囲第１〜６項のいずれか１項に記載の方法。
【請求項８】
硬化後に外側包囲体が弾性があるように流体物質が選択された請求の範囲第１〜７項のいずれか１項に記載の方法。
【請求項９】
流体物質の硬化後に、内側包囲体の外側表面と外側包囲体との間に接着結合が形成され、剥離反応層の素子と外側包囲体の間に形成された接着結合が、前記剥離反応層の素子と柔軟性シートの間に形成された接着よりも大きい請求の範囲第１〜８項のいずれか１項に記載の方法。
【請求項１０】
剥離反応層が、電気的に応答する物質のラインを含む請求の範囲第９項に記載の方法。
【請求項１１】
不正開封反応手段（34）を組み入れた柔軟性材料のシート（36）であって、折り曲げられ、シートのエッジが重ねられて内側包囲体（26）を画定し、その外側表面上に剥離反応層が存在するシート（36）、及び、
内側包囲体（26）を封入して且つそれに接着された一体の外側包囲体（28）、
を含んでなる不正開封反応包囲体。
【請求項１２】
折り曲げられたシートの重なり部分の間の全ての隙間と空間に外側包囲体が入り込んだ請求の範囲第11項に記載の包囲体。
【請求項１３】
外側包囲体が、内側包囲体の折り目と継ぎ目の位置を隠し、さらに外側包囲体の中の内側包囲体の正確な位置を隠すに充分に厚く且つ不透明である請求の範囲第11項又は12項に記載の包囲体。
【請求項１４】
窓が外側包囲体に形成された請求の範囲第11項、12項、又は13項に記載の包囲体。
【請求項１５】
不正開封の跡が分かるパターンが包囲体の外側表面に形成された請求の範囲第11〜14項のいずれか１項に記載の包囲体。
【請求項１６】
外側包囲体が弾性がある請求の範囲第11〜15項のいずれか１項に記載の包囲体。
【請求項１７】
内側包囲体の外側表面と外側包囲体の間に化学的結合が形成された請求の範囲第11〜16項のいずれか１項に記載の包囲体。
【請求項１８】
剥離反応層の素子と外側包囲体の間の接着力が、前記剥離反応層の素子と柔軟性シートの間に形成された接着力よりも大きい請求の範囲第11〜17項のいずれか１項に記載の包囲体。
【請求項１９】
剥離反応層が電気的に応答する物質のラインを含み、包囲体がラインの電気的特性をモニターするための手段をさらに含む請求の範囲第11〜18項のいずれか１項に記載の包囲体。
【請求項２０】
モニター手段とラインの間の接続部材が、ラインとの接続位置を用意されたシートのエッジ部分に提供され、接続部材が前記エッジに平行に広がる請求の範囲第19に記載の包囲体。
【請求項２１】
柔軟性シートが、電気絶縁性フィルムの反対面の上に、電気的に反応する物質の線状体を含むレーザーと穿孔に反応する層を含み、各々の線状体が非直線状である請求の範囲第11〜20項のいずれか１項に記載の包囲体。
【請求項２２】
電気絶縁性シート（50）の反対面上の、電気的に応答する物質（48）の非直線状線状体を含むレーザーと穿孔に反応する層（46）、シートの全領域範囲の上のシートの少なくとも１つの面を線状体の一部が覆うように配置されたシートの反対面上の線状体（48）、及び線状体の電気的特性をモニターする手段を含む壁を有し、層の任意の部分に侵入する企てが、１本以上の線状体が損傷され、モニターされた線状体の電気的特性の検出可能な変化の発生に結びつく不正開封反応包囲体。
【発明の詳細な説明】
本発明は、不正開封反応包囲体（tamper respondent enclosure）、さらに不正開封反応包囲体の製造方法に関する。
不正開封反応包囲体は、機密情報の伝達や電子デバイスの保護を含む種々の用途に利用されている。このような包囲体のいろいろな提案の例は、本出願人の先の特許出願のイギリス特許出願公開第2220513号明細書、同2258075号明細書、同2256956号明細書、同2256957号明細書、同2256958号明細書、及び同2270785号明細書に開示されており、これらの開示事項は本願でも採り入れられている。これらの包囲体は封筒や浅い箱の形態であり、その壁は、不正開封検出特性を組み入れた柔軟なシートを折り曲げることによって作成される。このシートの中に、薄い絶縁性フィルム上に印刷された対角線状に広がる半導電性ラインのマトリックスを含む柔軟性材料の層が収められる。ラインのマトリックスは、フィルムに侵入する企てが行われると破壊される連続的導体を形成する。１接点で導体を開け、回路の２つの端の間で抵抗を測定することにより、回路がモニターされる。複数の折り線の周りにラミネートが折り曲げられて包囲体を形成するイギリス特許出願公開第2258075号明細書に開示のように、特に包囲体が楔形、直方体、又は立方体の形状の場合、折り曲げられ又は重ねられたシートの部分の安全性を維持するため、注意が必要とされる。安全な折り目と重なり部分の作成は、前記第2270785号明細書で検討されており、折り曲げと重なりの部分の安全性を確保するため、実質的に長方形のシートの種々の拡張部が用意される。
このような配置は安全な包囲体を提供するが、この包囲体の作成は非常な注意を必要とし、このため割合に時間を消費する。
この他の不正開封反応包囲体と素子がイギリス特許出願公開第2174830号明細書、同2108302号明細書、ヨーロッパ特許出願公開第284351号明細書、米国特許第5049703号明細書に開示されている。
IMB社に譲渡された米国特許第4860351号に、別な形態の包囲体が開示されている。この包囲体は、35/10000インチのニクロム線のような絶縁導体の密な間隔のコイルで巻回された電子回路カードを特徴とする。この線がモニターされ、不正開封による線の破壊や変位が検出される。この線巻回カードは、充填材入りの不透明な架橋エポキシの中に注射される。この線は割合に破損しやすく、このためそれを移動させる企ては、導体の損傷に結びつきやすいであろう。また、線への付加が困難なため、導体部分にバイパスを付けることは難しい。
カードの周りに完全な線バリヤを施すことは、一般に1km以上の線を必要とし、したがって線を巻回する作業は時間がかかり、非常に簡単ではない何らかのパターンに線が巻回されるべき場合は厄介である。さらに、このような破損しやすい線の使用は、巻回作業の際の破損に結びつくことが多い、高い度合いのスクラップされる包囲体に帰着する。
また、線バリヤは４つの別な撚線を含み、これらは包囲体と外側端部の上に同時に巻回され、次いで一緒に縛られて１つの包囲体を形成する。次いで縛られた端部は巻回の表面の下に押し込められる。この押し込みは破損しやすい線に損傷を与えることがあり、また縛られた端部を位置確認でき、「押し込まない」ことができれば、撚線を解くことが充分可能であるように思われる。
オーストラリア特許第598272号明細書（AU−Ｂ−74241/87）は、このような巻回線バリヤに伴う多くの困難を除くことを目的とする電子メモリ保護ガードを開示している。このガードは、保護されるべきデバイスの周りに折り曲げられるに適する柔軟なプリント回路を含む。このデバイスと柔軟な回路は、次にエポキシに封入されることができると示唆されている。開示の例において、プリント回路のエッジは重なっておらず、この結果封入の際に未硬化エポキシがエッジの間を流れることができ、保護されるデバイスを汚染する。また、エポキシは不正開封検出性能を全く提供しないため、プリント回路からエポキシ部分を除き、次いで回路のエッジを離し、保護されたデバイスに接近することが割合に容易である。
本発明の目的は、これら欠点を除く又は軽減することである。
本発明の１つの面にしたがうと、
・不正開封反応手段を組み入れた柔軟性材料のシートを提供し、
・シートを折り曲げ、そのエッジを重ね、内側包囲体を画定し、
・内側包囲体を流体物質の層で囲み、そして
・流体物質を硬化させ、内側包囲体に接着した固体の外側包囲体を提供する、
工程を含む不正開封反応包囲体の製造方法が提供される。
本発明の別な面にしたがうと、
・不正開封反応手段を組み入れた柔軟性材料のシートであって、折り曲げられ、シートのエッジが重ねられて内側包囲体を画定したシート、及び
・内側包囲体に接着され、それを封入する一体の外側包囲体、
を含む不正開封反応包囲体が提供される。
作成の間に、流体物質は、折り曲げられたシートの重なり部分の間の全ての隙間又は空間に流れ込むことができ、より安全な包囲体を提供する。また、流体物質の使用は、傷つきやすいフラップや露出したエッジが全くない比較的滑らかな外表面を有する包囲体に結びつき、したがって通常の取扱いの際に不慮の損傷を受けにくい。注意して施すと、硬化した流体層は、湿気等に対して環境的シールを提供することができる。また、内側包囲体の折り目や継ぎ目の位置を隠すため、さらに外側包囲体の中の内側包囲体の正確な位置を隠すため、外側包囲体は充分に厚く且つ不透明であることが好ましく、このようなプロセスにおける変動は、この方法で得られる各々の安全包囲体が、外側包囲体の中でそれぞれ若干異なって位置する内側包囲体を有することに結びつくことができ、内側包囲体の正確な位置と、包囲体への許可なしの侵入をより困難にする。
好ましくは、流体物質は、最初に内側包囲体の周りの型の中に入れられる。このことは、包囲体の形と寸法が厳密に調節されることを可能にし、外側包囲体に、例えば窓を作成し、ラグを装着することを容易にさせる。さらに、不正開封の跡が分かるパターン、ユーザー情報、警告、商標等が、成形の際に包囲体の外側表面に容易に作成されることができる。
また、流体物質は割合に低温で硬化し、内側包囲体及び包囲体の中に収められた物品への熱損傷の可能性を最少限にすることが好ましい。冷間注入ポリウレタン系が適切であることが経験されており、割合に短い硬化時間の長所もまた有する。
また、硬化後に外側包囲体は弾性があることが好ましい。このことは、通常の取扱い条件における強靱性を提供し、付加的な保護を与える必要なしにその場での包囲体の締めつけを可能にする。前記のポリウレタン系はこのような特性を提供し、70のショアー硬度を有する。
また、不正開封反応手段は、柔軟性シートの少なくとも１つの面上に剥離反応層を含むことが好ましい。最も好ましくは、内側層の外面上にその層が存在するようにシートが折り曲げられ、その層と外側包囲体の間の接着力は、その層と柔軟性シートの間の接着力よりも大きいことである。したがって、内側包囲体から外側包囲体を剥がす企ては、剥離反応層が内側包囲体から剥がされることに帰着することができる。剥離反応層は、好ましくは電気的応答物質のラインを含み、その電気的特性がモニターされる。適切な層の例は、本出願人の先の特許出願のイギリス特許出願公開第2220513号明細書、同2258075号明細書、同2256956号明細書、同2256957号明細書、同2256958号明細書、同2270785号明細書に開示されている。
また、好ましくは、電気的応答ラインをモニターする手段が提供され、その手段は包囲体の中に配置される。この手段とラインの間に提供された接続部材は、好ましくは本出願人の先の特許出願のイギリス特許出願公開第2256957号明細書に開示のように、ラインの接続位置を提供されたシートのエッジ部分に提供される。最も好ましくは、接続部材はそのエッジに平行に伸びることである。このことは、折り曲げられたシートの簡単な折り曲げられていない継ぎ目で接続する位置の位置決めを容易にし、シートの折り曲げを簡単にし、折り曲げの際に接続位置への損傷の可能性を最少限にする。
また、好ましくは、シートは、包囲体の穿孔やレーザーのような高温切断手段を用いて企てられた侵入を検出するために用意された層を含む。最も好ましくは、このレーザーや穿孔反応層は、電気絶縁性シートの反対面上に、電気的応答物質の線状体を含む。この線状体はモニターされ、層に侵入する企ては、１本以上の線状体が切断されることに帰着し、線状体のモニターされた電気的特性に検出可能な変化を生じさせる。このような層の例は、例えば本出願人の先の特許出願のイギリス特許出願公開第2270785号明細書に開示されており、シートの両側上に線状体が平行に伸び、その幅とピッチは、任意の箇所での層の穿孔が線状体の少なくとも１本に損傷を与えるようになっている。最も好ましくは、各々の軌跡は非直線であり、例えば鋸歯又は波形を形成することである。前記の特許出願に記載のような従来の提案において、各々の層の線状体は直線状で同方向であり、このため線状体に平行な狭い溝の切り込みに対して防護するためには、２層の提供を必要とする。しかしながら、非直線の線状体を提供すると、任意の長さの溝を切り込む全ての企てが、線状体が横切られ切断されることに帰着することができるため、１つの層のみが必要とされる。また、非直線状線状体においては、層の任意の箇所で線状体の方向を特定することが非常に困難である。
本発明のさらにもう１つの面にしたがうと、電気絶縁性シートの反対側に電気的応答物質の非直線状線状体、及びその線状体の電気的特性をモニターする手段を含む、レーザーや穿孔に反応する層を含む壁を有する不正開封反応包囲体が提供され、層に侵入する企ては、その線状体の１本以上の切断に結びつき、線状体のモニターされた電気的特性に検出可能な変化を与える。
次に、本発明のこれら及び他の面を、添付の図面を参照しながら例によって説明する。
図１は、本発明の好ましい態様にしたがった不正開封反応包囲体の、部分的に切り欠いた透視図である。
図２は、図１の包囲体の不正開封反応ラミネート層の平面図である。
図３は、図２の層の一部の拡大図である。
図４は、図１の包囲体の不正開封反応ラミネートの、大きく拡大した別な層の一部である。
図５は、本発明の別な態様にしたがった不正開封反応包囲体の、部分的に切り欠いた透視図である。
先ず図面の図１を参照すると、本発明の好ましい態様にしたがった不正開封反応包囲体10を示す。包囲体10は、暗号化モジュール12の中の安全機密情報、可変キーの使用を必要とするモジュール12に記憶された情報へのアクセス、メモリ14に記憶されている必要なキーの性質を保有する。説明するように、この包囲体は、包囲体を不正開封する又は侵入する企てを検出するように配置され、したがって不正開封が検出された場合、メモリ14と暗号化モジュール12に記憶された情報を消去する消去回路18を作動させる包囲体モニター16を含む。これらの構成部品はプリント回路板20の上に装着されて相互に接続され、電力は１つのバッテリー22によって供給される。
包囲体10の壁は３つの主要構成部品を含み、即ち好ましくは金属の包囲体24、折り曲げられた不正開封反応ラミネート32の形態の内側包囲体26、及び成形体28の形態の外側包囲体である。説明するように、不正開封反応ラミネート32は、リボンケーブル30を経由して包囲体モニター16によってモニターされる種々の検出層を含む。金属包囲体24は、包囲体10に侵入しようとする突然の乱暴な企てに対して物理的保護を提供し、情報が暗号化モジュール12から消去されることができる前に、包囲体モニター16を解くか回路18を消去する。
不正開封反応ラミネート32は、図面の図２に示すように、最初は平らである。このラミネートは多数の別個の層で形成され、最も外側の剥離反応層は、長方形の薄い絶縁性フィルム36の上に印刷された対角線状に広がる半導電性ラインのマトリックス34を含む。ライン34のマトリックスは、フィルム36に侵入する企てが行われた場合に破損することができる多数の連続導体を形成する。このよな層の詳細な説明は本出願人の先の特許出願のイギリス特許出願公開第2256957号明細書に含められている。これらのラインは、フィルム36の上に炭素充填材入りポリエステルインクを印刷し、フィルムエッジの各々の側でラインを選択的に接続することによって形成される。ラインと包囲体モニター16の間の接続はリボンケーブル30によって提供され、これはフィルム36の拡張部の上に印刷された炭素充填材入りインクの別なラインをそれ自身で形成する。マトリックス34とケーブル30の間の接続は、フィルム36のエッジ42の上に形成されたコネクター40によって行われる。ラミネート32が折り曲げられて内側包囲体26を画定した場合、エッジ42は反対側のエッジ44に重ねられ、コネクター40が包囲体26の中に収められる仕方で継ぎ目を形成する。このことは、ケーブルが、包囲体26の下側から（図１に示すように）金属包囲体24のラビリンスケーブル入口45を経てモニター16へ通ることを可能にする。
ラミネート32はレーザーと穿孔反応層をさらに含み、この層46の一部が図面の図４に示されている。この層46は、電気絶縁性フィルム50の反対側に印刷された炭素充填材入りポリエステルインクの線状体48を含む。図４は、フィルム50の１つの面上の線状体48を示す。フィルムの反対側の線状体は同じパターンであるが、線状体48の間の隙間52の直ぐ下に位置するようにオフセット印刷され、その軌跡は、任意の箇所でのフィルム50の穿孔が線状体の少なくとも１本の損傷に結びつくような幅とピッチである（例えば、250〜500μｍ）。この線状体は直列に接続されて１本以上の導体を画定し、ラインの抵抗をモニターする包囲体モニター16にライン54（図３）によって接続される。線状体の１本の切断によって生じた抵抗の増加の検出は、暗号化モジュール12に記憶された情報を消去させることができる。線状体48を鋸歯パターンに施すことは、フィルム50の任意の長さの切り込み溝が少なくとも１本の線状体48を切断することを確かにするであろうため、検出を避けてフィルム50を切り込むことをより難しくさせる。また、層の任意の１箇所で線状体の方向を測定し、それによって適当な溝方向を選ぶことが非常に難しい。
ラミネート32の種々の素子は一緒に接着され、次いで贈答品や小包と同様な仕方で金属包囲体24の周りに折り曲げられ、内側包囲体26を画定する。折り曲げと重なりの部分を適所に保持するため、接着剤が施される。折り曲げられたラミネート32は、フィルム36の１つの面上のマトリックス34部分を形成するラインが、包囲体26の外側表面上に露出されるように配置される。炭素の少量の配合で黒くされた接着剤の薄い層が包囲体26に施され、ラインを隠す。包囲体26は型の中に配置され、次いで冷間注入ポリウレタンで満たされる。次いでポリウレタンは硬化され、外側包囲体28を形成する。得られた成形体は不透明であり、好ましくは２〜5mmの厚さを有する。この例において、外側包囲体28は内側包囲体26を完全に封入し、完全な環境的シールを提供し、したがって湿気やダスト等から包囲体の内側を保護する。成形作業の際に、未硬化の液体ポリウレタンは、ラミネート32の折り曲げの後に残存することがある全ての隙間や空間に流入する。さらに、硬化ポリウレタンは弾性であり、70のショアー硬度を有し、したがって通常の使用においては強靱な包囲体を提供する。
外側包囲体28は、下記に説明するように、多くの仕方で包囲体に付加的安全性を提供する。包囲体28の厚さの通常の変動は、得られた各々の包囲体について、成形体の中の内側包囲体の位置が若干変化することに結びつく。したがって、同様な包囲体の検査の後であっても、別な包囲体における成形体28に比較し、内側包囲体26の位置を何らかの正確度を備えて測定することができない。また、液体ポリウレタンが内側包囲体26の全ての隙間又は空隙に流入できるため、潜在的な弱い箇所の発生の可能性が最小限度にされる。外側成形体28は内側包囲体26に強固に接着し、材料の適切な選択により、硬化後に包囲体26に化学的に結合される。さらに、前記の例において、成形体28とマトリックス34のラインとの間の接着力は、フィルム36に対するラインの接着力より大きい。このことは、ラインとフィルム36の間に低い引張強度の層を施すことによって達成される。このような層は、高いビニルアセテート（VA）含有率を有し、またヒュームドシリカで45〜60％（EVA重量基準）に充填されたエチレンビニルアセテート（EVA）で形成されることができる。適切な好ましい層の構成の詳細な説明は、イギリス特許出願公開第2256958号明細書に記載されている。したがって、内側包囲体26から成形体を剥がす企てが行われた場合、マトリックス34のラインはフィルムから引張り出されて壊され、不正開封の指示を提供する。外側包囲体28部分を除去する企てに溶媒が使用されることも想像されるが、包囲体28を溶解するに必要な溶媒は必然的に非常に攻撃的でなければならず、内側包囲体26によって容易に検出されるであろう。
また、注型封入又は成形作業の使用は、滑らかな一定した外側寸法を備え、露出した傷つきやすいフラップやエッジのない包囲体10の製造を可能にする。また、不正開封の跡が分かるパターン、略符、警告、又はユーザー情報が、包囲体10の外側表面に容易に成形されることができる。さらに、外側包囲体28の色は、特定の用途に適するように選択されることができる。
別な不正開封反応包囲体の例を図面の図５に示す。包囲体10と60に類似の特徴が、同じ参照番号を用いて示されている。ここで、この包囲体60は、外側包囲体62が内側包囲体26を完全には封入せず、しかしキーパッドを収容する窓64を含む点で前記の包囲体10とは異なる。キーパッド66の接触感知部分が内側包囲体26の内側に提供され、一方で、印刷された保護されたカバー層68が包囲体26の外側に提供される。この包囲体の形態は、例えばコンビネーションドアロックの動作制御に使用されることができ、不正開封が検出されると、アラームが作動されることができる。弾性のある外側成形体62の提供は、包囲体に付加的な保護を提供することなく、支持用壁に包囲体60が締めつけられ又は他の仕方で固定されることを可能にする。あるいは、作製の際に、カバー62に接着用ラグが容易に成形されることもできる。
上記の説明より、開示された包囲体は、本出願人の先の特許出願の包囲体によって提供されるものと少なくとも同等に高い安全性レベルを提供するが、より容易に且つ信頼よく製造される見込みがあることが明らかであろう。
上記の態様は本発明の単なる例示であり、本発明の範囲から外れることなくそれに種々の変更や改良を加えることができることは、当業者には明白であろう。
【図１】
0003588111.tif 000002
【図４】
0003588111.tif 000003
【図２】
0003588111.tif 000004
【図３】
0003588111.tif 000005
【図５】
0003588111.tif 000006